(57)【特許請求の範囲】
【請求項１】
少なくとも１つの電線を含む電線部と、
前記電線部の周方向における少なくとも一部を覆い、複数の板状部分と前記複数の板状部分の間に配設されて前記複数の板状部分の間に中空空間を形成する介在部分とを含む中空板材によって形成された保護部材と、を備え、
前記保護部材における前記複数の板状部分において前記電線部に接触する最内板状部分が、周方向に一連に形成されて、全体的に前記電線部の外周面に沿う形状に湾曲しており、
前記保護部材には、前記保護部材を湾曲させるための湾曲形成部が形成されており、
前記湾曲形成部が、前記最内板状部分において前記電線部側に対し反対側に凹み前記電線部の延在方向に延びて形成された凹部を含む、電線モジュール。
【請求項２】
請求項１に記載の電線モジュールであって、
前記保護部材は、前記電線部の延在方向に延びて形成された壁状の前記介在部分を複数含み、
前記湾曲形成部が、隣り合う前記壁状の部分の間の部分に形成されている、電線モジュール。
【請求項３】
請求項２に記載の電線モジュールであって、
前記保護部材は、前記複数の板状部分における内側の前記最内板状部分に対し最も外側に配置された最外板状部分に前記電線部の延在方向に直交する方向に延びて形成された第二スリットをさらに含む電線モジュール。
【請求項４】
請求項１に記載の電線モジュールであって、
前記保護部材は、前記電線部の延在方向に直交する方向に延びて形成された壁状の前記介在部分を複数含む、電線モジュール。
【発明の詳細な説明】
【技術分野】
【０００１】
本発明は、電線と保護部材とを含む電線モジュールに関する。
【背景技術】
【０００２】
車両等に搭載されるワイヤーハーネスにおいては、電線を保護するための保護部材を備えることがある。保護部材は、例えば、電線の周方向における少なくとも一部を覆い、電線が他の部材と接触することを抑制する。
【０００３】
例えば、特許文献１に示される例では、直線状に敷設された電線束を支持する板状の保護部材（プラスチック段ボールシート）が開示されている。特許文献１に示される例では、中空構造の板状の保護部材の上に電線束が載せられた構造が示されている。
【先行技術文献】
【特許文献】
【０００４】
【特許文献１】特開２０１４−１１７０９９号公報
【発明の概要】
【発明が解決しようとする課題】
【０００５】
ところで、特許文献１に示される例のように、断面形状が矩形状の保護部材の上に、断面形状が円形状の電線又は電線を複数含む電線束が載せられる構造においては、保護部材と電線との接触領域が比較的少ない。このため、テープ等の結束部材が巻かれた場合であっても、保護部材と電線との固定状態が不安定になりやすくなることが懸念される。
【０００６】
本発明は、中空構造の保護部材を備える電線モジュールにおいて、保護部材と電線との固定状態をより安定なものにすることを目的とする。
【課題を解決するための手段】
【０００７】
第１態様に係る電線モジュールは、少なくとも１つの電線を含む電線部と、前記電線部の周方向における少なくとも一部を覆い、複数の板状部分と前記複数の板状部分の間に配設されて前記複数の板状部分の間に中空空間を形成する介在部分とを含む中空板材によって形成された保護部材と、を備え、前記保護部材における前記複数の板状部分において前記電線部に接触する最内板状部分が、周方向に一連に形成されて、全体的に前記電線部の外周面に沿う形状に湾曲している。
【０００９】
第１態様に係る電線モジュールにおいては、前記保護部材には、前記保護部材を湾曲させるための湾曲形成部が形成されており、前記湾曲形成部が、前記最内板状部分において前記電線部側に対し反対側に凹み前記電線部の延在方向に延びて形成された凹部を含む。
【００１０】
第２態様に係る電線モジュールは、第１態様に係る電線モジュールの一態様である。第２態様に係る電線モジュールにおいては、前記保護部材は、前記電線部の延在方向に延びて形成された壁状の前記介在部分を複数含み、前記湾曲形成部が、隣り合う前記壁状の部分の間の部分に形成されている。
【００１１】
第３態様に係る電線モジュールは、第２態様に係る電線モジュールの一態様である。第３態様に係る電線モジュールにおいては、前記保護部材は、前記複数の板状部分における内側の前記最内板状部分に対し最も外側に配置された最外板状部分に前記電線部の延在方向に直交する方向に延びて形成された第二スリットをさらに含む。
【００１２】
第４態様に係る電線モジュールは、第１態様に係る電線モジュールの一態様である。第４態様に係る電線モジュールにおいては、前記保護部材は、前記電線部の延在方向に直交する方向に延びて形成された壁状の前記介在部分を複数含む。
【発明の効果】
【００１３】
上記の各態様において、保護部材における最内板状部分が全体的に電線部の外周面に沿う形状に湾曲している。この場合、保護部材における最内板状部分が全体的に電線部に接触する状態を作ることができる。このため、保護部材と電線部とを固定する結束部材が巻かれた場合に、これらの固定状態をより安定なものにすることができる。
【００１５】
また、各態様においては、保護部材を湾曲させる湾曲形成部が、最内板状部分に形成され電線部の延在方向に延びる凹部を含む。この場合、保護部材が湾曲した状態において、最内板状部分と最内板状部分の外側に存在する板状部分とが、電線部の保護層を構成するため、電線部の保護性能を比較的向上させることができる。
【００１６】
また、第２態様においては、保護部材は、電線部の延在方向に延びて形成された壁状の介在部分を複数含み、湾曲形成部が、隣り合う介在部分の間の部分に形成されている。この場合、保護部材は、電線部の延在方向に沿って直線状の形態を維持しやすいため、直線状の経路に配設される電線部の配設形態を維持することできる。
【００１７】
また、第３態様においては、保護部材が、電線部の延在方向に直交する方向に延びて形成された第二スリットを含む。この場合、第二スリットが形成された部分では、複数の板状部分が重なる方向に、保護部材が曲がり易い。このため、第５態様の電線モジュールは、直線状の部分と曲がった部分とを含む経路に電線部が配設される場合に比較的有効である。
【００１８】
また、第４態様においては、保護部材は、電線部の延在方向に直交する方向に延びて形成された壁状の介在部分を複数含む。この場合、保護部材を、複数の板状部分が重なる方向に曲げ易くすることができる。
【図面の簡単な説明】
【００１９】
【図１】第１実施形態に係る電線モジュールの一部切り欠き斜視図である。
【図２】第１実施形態に係る電線モジュールの断面図である。
【図３】第１実施形態に係る電線モジュールにおける展開状態の保護部材の斜視図である。
【図４】第１実施形態に係る電線モジュールが車両に搭載された状態を示す概略図である。
【図５】第２実施形態に係る電線モジュールの断面図である。
【図６】第２実施形態に係る電線モジュールにおける展開状態の保護部材の斜視図である。
【図７】第３実施形態に係る電線モジュールの一部切り欠き斜視図である。
【図８】第３実施形態に係る電線モジュールにおける展開状態の保護部材の斜視図である。
【図９】第４実施形態に係る電線モジュールの一部切り欠き斜視図である。
【図１０】第４実施形態に係る電線モジュールにおける展開状態の保護部材の斜視図である。
【発明を実施するための形態】
【００２０】
以下、添付の図面を参照しつつ、実施形態について説明する。以下の実施形態は、本発明を具現化した一例であり、本発明の技術的範囲を限定する事例ではない。
【００２１】
＜第１実施形態＞
まず、図１〜４を参照しつつ、第１実施形態の電線モジュール１００について説明する。電線モジュール１００は、電線部２と保護部材３とを備える。電線モジュール１００は、例えば、自動車等の車両に搭載される。
【００２２】
図１は、電線モジュール１００の一部切り欠き斜視図である。図２は、電線モジュール１００の断面図である。なお、図２においては、結束部材６が巻かれた状態の電線モジュール１００が示されている。図３は、展開状態の保護部材３の斜視図である。図４は、車両に搭載された状態の電線モジュール１００を示す断面図である。
【００２３】
＜電線モジュール：電線部＞
電線モジュール１００において、電線部２は、少なくとも１つの電線を含む。電線部２に含まれる電線は、例えば、芯線と芯線の周囲を覆う絶縁被覆とを備える絶縁電線を含むことが考えられる。この場合、芯線は、例えば、銅又はアルミニウム等の金属を主成分とする部材であることが考えられる。また、絶縁被覆は、例えば、ポリエチレン又は塩化ビニル等を主成分とする合成樹脂の部材であることが考えられる。
【００２４】
なお、電線部２が複数の電線を含む場合、これらの電線は、予め結束されている場合又は結束されていない場合が考えられる。
【００２５】
＜電線モジュール：保護部材＞
電線モジュール１００において、保護部材３は、電線部２の周方向における少なくとも一部を覆っている。図１，２では、保護部材３が電線部２の周方向における半分程度の領域を覆う場合が示されている。
【００２６】
保護部材３は、図３に示されるように、複数の板状部分３１と複数の板状部分３１の間に配設されて複数の板状部分３１の間に中空空間３３を形成する介在部分３２とを含む中空板材３０によって形成されている。
【００２７】
本実施形態では、中空板材３０は、２つの板状部分３１の間に並列状に介在する複数の介在部分３２を備える。複数の介在部分３２は、２つの板状部分３１の間で、間隔をあけて並列状態に配設されている。
【００２８】
そして、本実施形態においては、介在部分３２は、壁状に形成されている。図３に示されるように、各介在部分３２は、細長板状に形成されており、２つの板状部分３１に対して垂直姿勢で配設されている。そして、各介在部分３２の一側部が１つの板状部分３１に連結され、その他側部が他の１つの板状部分３１に連結されている。これにより、２つの板状部分３１と複数の介在部分３２とが、介在部分３２の延在方向に対して直交する面においてはしご状断面を呈するように一体的に連結される。
【００２９】
従って、本実施形態の中空板材３０には、並列状に並ぶ複数の細長い中空空間３３が形成されている。各中空空間３３は、２つの板状部分３１と、隣り合う２つの介在部分３２とで囲まれている。このため、中空空間３３においては、横断面形状が方形状を呈している。
【００３０】
中空板材３０は、樹脂材料によって形成された部材であることが考えられる。例えば、中空板材３０が、ポリプロピレン等の樹脂材料のプラスチック段ボールによって形成されている場合が考えられる。プラスチック段ボールの中空板材３０を製造する場合には、例えば、はしご状断面に応じた押出孔から樹脂を押出す押出成型装置によって、連続的に製造することが考えられる。そして、押出成型装置によって製造されたプラスチック段ボールを所定の大きさに切断することで中空板材３０が製造されることが考えられる。これにより、中空板材３０を容易に低コストで製造することができる。このような中空板材３０においては、２つの板状部分３１の間に中空構造が形成されているため、その分、軽量化及び材料費の低減を図ることができる。なお、介在部分３２は、接着剤又は溶着等によって板状部分３１に連結されていてもよい。
【００３１】
そして、第１実施形態は、中空板材３０の介在部分３２が延在する方向と電線部２の延在方向とが一致するように、中空板材３０が電線部２に取り付けられる場合の事例である。この場合、中空板材３０は、板状部分３１が積層する方向に曲がりにくいため、直線状の経路に配設される電線部２の経路を維持できる。
【００３２】
電線モジュール１００においては、中空板材３０（保護部材３）が電線部２に取り付けられ、保護部材３における複数（本例では２つ）の板状部分３１において電線部２に接触する最内板状部分３１１が、全体的に電線部２の外周面に沿う形状に湾曲している。即ち、電線モジュール１００においては、最内板状部分３１１が全体的に電線部２に接触する状態が作られている。
【００３３】
ここで、電線部２が１つの電線を含む場合、最内板状部分３１１は、電線の外周面に沿って湾曲する。なお、電線は、一般的に断面形状が円形状である。このため、この場合、最内板状部分３１１は、電線の外周面に沿って弧状に湾曲していることが考えられる。
【００３４】
一方、電線部２が複数の電線を含む場合も考えられる。この場合、最内板状部分３１１は、複数の電線が纏められた状態のものの外周面に沿って湾曲する。従って、複数の電線が纏められたものの断面形状がいびつな円形状である場合には、最内板状部分３１１は、そのいびつな円形状の複数の電線が纏められたものの外周面に沿って湾曲していることが考えられる。なお、複数の電線は、保護部材３と一体化されていない状態において、結束されている場合又は結束されていない場合が考えられる。
【００３５】
そして、本実施形態では、保護部材３には、保護部材３を湾曲させるための湾曲形成部が形成されている。第１実施形態は、湾曲形成部が、複数（本例では２つ）の板状部分３１における内側の最内板状部分３１１に対し最も外側に配置された最外板状部分３１２に形成された第一スリット４である場合の事例である。電線モジュール１００においては、湾曲形成部が保護部材３に形成されていることにより、保護部材３が電線部２の外周面に沿って湾曲しやすい。
【００３６】
第一スリット４は、電線部２の延在方向に延びるスリットである。また、第一スリット４は、保護部材３における隣り合う介在部分３２の間の部分に形成されている。第一スリット４を形成するための作業は、例えば、押出成型装置より製造されたプラスチック段ボールを所定の大きさに切断する作業時に、ともに行われることが考えられる。
【００３７】
図２に示されるように、第一スリット４は、保護部材３に複数形成されている。本実施形態では、保護部材３における隣り合う介在部分３２間の部分の全てに、第一スリット４がそれぞれ形成されている。この場合、保護部材３が、電線部２の外周面に沿ってより湾曲しやすくなる。
【００３８】
本実施形態では、第一スリット４が、中空板材３０に形成されることで、最外板状部分３１２は、それぞれ介在部分３２に連結する部分を含む複数の部分（以下、区画部３９）に分けられる。図１〜３に示されるように、複数の区画部３９は、それぞれ１つの介在部分３２に連なる。そして、中空板材３０においては、第一スリット４を境に隣り合う区画部３９が、分離するように変形することが可能となる。
【００３９】
また、本実施形態において、中空板材３０に形成された第一スリット４は、線状のスリットである。即ち、第一スリット４は、幅を有しないスリットである。しかしながら、第一スリット４が、幅を有するスリットである場合も考えられる。
【００４０】
電線モジュール１００においては、中空板材３０が電線部２に取り付けられるときに、第一スリット４が開くことで、保護部材３が湾曲しやすくなる。より具体的には、第一スリット４が形成された中空板材３０が電線部２に取り付けられるとき、保護部材３の最内板状部分３１１は、電線部２の外周面に沿うように湾曲する。このとき、最内板状部分３１１よりも外側に位置する最外板状部分３１２は、第一スリット４によって分けられた隣り合う区画部３９同士が分離するように変形することで、最内板状部分３１１の湾曲に追従して全体的に湾曲した形状に変形する。従って、本実施形態では、第一スリット４が形成されていることで、保護部材３を電線部２の外周面に沿って簡単に湾曲させることができる。
【００４１】
また、本実施形態では、中空板材３０が、２つの板状部分３１を含み、第一スリット４がその外側の板状部分３１（最外板状部分３１２）に形成されている場合が示されている。しかしながら、中空板材３０が３つ以上の板状部分３１を含む場合も考えられる。この場合においては、第一スリット４は、最も外側の最外板状部分３１２のみに形成されている場合、又は最内板状部分３１１以外の板状部分３１に形成されている場合が考えられる。
【００４２】
＜電線モジュール＞
図２に示されるように、電線部２及び保護部材３を備える電線モジュール１００には、バンド又はテープ等の結束部材６が巻き付けられることが考えられる。結束部材６は、例えば、電線２及び保護部材３の周囲を覆うように設けられていることが考えられる。結束部材６は、電線部２と保護部材３とを一体化させるための部材である。
【００４３】
図４は、電線モジュール１００が車両へ搭載された状態を示す概略図である。図４に示される例においては、結束部材６が巻回された電線モジュール１００に、ベルトクランプ７が取り付けられている。そして、電線モジュール１００は、このベルトクランプ７によって車体を構成する板状の金属板材９１に固定されている。
【００４４】
図４に示されるように、ベルトクランプ７は、電線モジュール１００の周囲に巻き付けられるベルト部７１と金属板材９１に形成された孔９０に挿入されることで固定されるクランプ部７２とを含む。なお、孔９０は、金属板材９１における一方の面から他方の面に貫通する貫通孔である。
【００４５】
図４に示される例は、２つの金属板材９１，９２が合わさる部分に電線モジュール１００が配設される場合の事例である。このような配設場所において、２つの金属板材９１，９２のうちの一方の金属板材（図４に示される例では金属板材９１）の角が電線部２と接触する恐れがある場合、電線部２が傷ついてしまうことが懸念される。このような場合において、電線モジュール１００は、電線部２の周方向における少なくとも一部を覆う保護部材３を備えるため、電線部２と金属板材９１の角とが接触し、電線部２が傷つくことを抑制できる。
【００４６】
なお、図４に示される例では、金属板材９１と金属板材９２と板材９３とに囲まれる部分に電線モジュール１００が配設されている。図４に示される例において、金属板材９１は、例えば、車体のドアパネルであることが考えられる。また、金属板材９２は、例えば、車体のルーフパネルであることが考えられる。また、板材９３は、車体の内装における天井部分を成す樹脂製の部材であることが考えられる。
【００４７】
そして、本実施形態においては、保護部材３における最内板状部分３１１が全体的に電線部２の外周面に沿う形状に湾曲している。この場合、保護部材３における最内板状部分３１１が全体的に電線部２に接触する状態を作ることができる。このため、保護部材３と電線部２とを固定する結束部材６が巻かれた場合において、これらの固定状態をより安定なものにすることができる。
【００４８】
本実施形態においては、保護部材３における最内板状部分３１１が全体的に電線部２の外周面に沿う形状に湾曲している。このため、複数の電線が予め結束されていない場合であっても、複数の電線がばらけてしまうことを抑制できる。即ち、保護部材３の最内板状部分３１１が電線部２の外周面に沿うように湾曲しつつ覆うことで、複数の電線がばらけてしまうことを抑制できる。
【００４９】
また、本実施形態においては、保護部材３を湾曲させる湾曲形成部が、最外板状部分３１２に形成され電線部２の延在方向に延びる第一スリット４を含む。この場合、最外板状部分３１２が最内板状部分３１１の湾曲する形状に追従して変形しやすくなるため、保護部材３を電線部２に取り付ける作業を比較的簡単に行うことが可能となる。
【００５０】
また、本実施形態においては、保護部材３は、電線部２の延在方向に延びて形成された壁状の介在部分３２を複数含み、湾曲形成部（第一スリット４）が、隣り合う介在部分３２の間の部分に形成されている。この場合、保護部材３は、電線部２の延在方向に沿って直線状の形態を維持しやすいため、直線状の経路に配設される電線部２の配設形態を維持することできる。
【００５１】
＜第２実施形態＞
次に、図５，６を参照しつつ、第２実施形態に係る電線モジュール２００について説明する。電線モジュール２００は、保護部材３と異なる構造の保護部材３Ａを備える。図５は、電線モジュール２００の断面図である。図６は、展開状態の保護部材３Ａの斜視図である。なお、図５，６において、図１〜４に示される構成要素と同じ構成要素には、同じ参照符号が付されている。以下、第１実施形態と異なる点について説明する。
【００５２】
本実施形態では、電線モジュール２００は、電線部２と保護部材３Ａとを備える。電線部２は、第１実施形態と同じ構造であるためその説明を省略する。
【００５３】
保護部材３Ａは、第１実施形態と同様、複数（本例では２つ）の板状部分３１と板状部分３１間に介在する介在部分３２とを含む中空板材３０によって形成されている。中空板材３０については、第１実施形態と同様であるため、その説明を省略する。
【００５４】
第２実施形態は、中空板材３０における介在部分３２が延びる方向と電線部２の延在方向とが直交するように、保護部材３Ａが電線部２に取り付けられる場合の事例である。即ち、電線モジュール２００において、保護部材３Ａは、電線部２の延在方向に直交する方向に延びて形成された壁状の介在部分３２を複数含む。なお、複数の介在部分３２は、電線部２の延在方向に沿って間隔を空けて並んでいる。
【００５５】
そして、本実施形態においては、保護部材３Ａには、保護部材３Ａを湾曲させるための湾曲形成部として、第一スリット４Ａが形成されている。第一スリット４Ａは、第１実施形態と異なり、複数の介在部分３２が並ぶ方向に延びて形成されたスリットである。従って、第一スリット４Ａは、複数の介在部分３２にまたがって電線部２の延在方向に延びて形成されている。
【００５６】
また、本実施形態では、保護部材３Ａは、第一スリット４Ａを複数含む。図６に示されるように、複数の第一スリット４Ａは、それぞれ介在部分３２が延びる方向に沿って間隔を空けて形成されている。
【００５７】
図５に示されるように、第一スリット４Ａは、最外板状部分３１２から最内板状部分３１１側に向けて形成され、介在部分３２にも形成されている。第一スリット４Ａは、介在部分３２における最内板状部分３１１に連なる根元の部分まで到達するスリットであることが好ましい。
【００５８】
保護部材３Ａにおいては、第一スリット４Ａを境に最外板状部分３１２と介在部分３２とを含む複数の区画部３９Ａに分けられている。第２実施形態において、複数の区画部３９Ａのうち隣り合う区画部３９Ａは、最内板状部分３１１の曲げに追従して分離するように変形可能となる。
【００５９】
そして、第一スリット４Ａが介在部分３２の根元まで形成されている場合、第一スリット４Ａが形成された部分においては、最内板状部分３１１を一枚の板状部分３１とみることできる。板状部分３１は比較的薄い部分であるため、第一スリット４Ａが形成された箇所において、最内板状部分３１１は曲げ易い。これにより、保護部材３Ａが電線部２の外周面に沿って湾曲しやすくなる。
【００６０】
なお、第一スリット４Ａが、最外板状部分３１２から介在部分３２の中間部分まで到達するスリットである場合も考えられる。
【００６１】
本実施形態においても、保護部材３Ａにおける最内板状部分３１１が全体的に電線部２の外周面に沿う形状に湾曲しているため、保護部材３Ａと電線部２とを固定する結束部材が巻かれた場合に、これらの固定状態をより安定なものにすることができる。
【００６２】
また、本実施形態では、保護部材３Ａは、電線部２の延在方向に沿って複数の介在部分３２が並ぶ構造であるため、複数（本例では２つ）の板状部分３１の積層方向において、保護部材３Ａは曲がり易い。即ち、保護部材３Ａを、複数の板状部分３１が重なる方向に曲げ易くすることができる。従って、電線モジュール２００は、電線部２が曲がった経路に配設される場合に有効である。
【００６３】
＜第３実施形態＞
次に、図７，８を参照しつつ、第３実施形態に係る電線モジュール３００について説明する。電線モジュール３００は、保護部材３，３Ａと異なる構造の保護部材３Ｂを備える。図７は、電線モジュール３００の一部切り欠き斜視図である。図８は、展開状態の保護部材３Ｂの斜視図である。なお、図７，８において、図１〜６に示される構成要素と同じ構成要素には、同じ参照符号が付されている。以下、第１実施形態及び第２実施形態と異なる点について説明する。
【００６４】
本実施形態では、電線モジュール３００は、電線部２と保護部材３Ｂとを備える。電線部２は、第１実施形態と同じ構造であるためその説明を省略する。
【００６５】
保護部材３Ｂは、第１実施形態と同様、複数（本例では２つ）の板状部分３１と板状部分３１間に介在する介在部分３２とを含む中空板材３０によって形成されている。中空板材３０については、第１実施形態と同様であるため、その説明を省略する。
【００６６】
第３実施形態は、第１実施形態と同様、中空板材３０における介在部分３２が延びる方向と電線部２の延在方向とが一致するように、保護部材３Ｂが電線部２に取り付けられる場合の事例である。
【００６７】
そして、本実施形態においては、保護部材３Ｂには、保護部材３Ｂを湾曲させるための湾曲形成部が、凹部４Ｂを含む。図７に示されるように、凹部４Ｂは、最内板状部分３１１に形成されている。凹部４Ｂは、最内板状部分３１１において電線部２側に対し反対側に凹むように形成されている。
【００６８】
図７，８に示されるように、本実施形態では、凹部４Ｂは、角度を成して連なる２つの平面を含む。即ち、凹部４Ｂは、断面形状がＶ字状に形成されている。しかしながら、凹部４Ｂが、滑らかな凹状の面を含む場合又はそれぞれ直角を成して連なる３つの平面を含む場合等も考えられる。
【００６９】
また、凹部４Ｂは、電線部２の延在方向に延びて形成されている。即ち、凹部４Ｂは、介在部分３２が延びる方向に延びて形成されている。また、凹部４Ｂは、保護部材３Ｂにおける隣り合う介在部分３２（壁状の部分）の間の部分に形成されている。凹部４Ｂは、例えば、押出成型装置より製造されたプラスチック段ボールを所定の大きさに切断する作業時に、ともにプレス作業を行うことで形成されることが考えられる。
【００７０】
本実施形態において、凹部４Ｂは、保護部材３Ｂに複数形成されている。複数の凹部４Ｂは、保護部材３Ｂにおける隣り合う介在部分３２間の部分の全てにそれぞれ形成されている。この場合、保護部材３Ｂが、電線部２の外周面に沿ってより湾曲しやすくなる。
【００７１】
本実施形態では、凹部４Ｂが形成された中空板材３０が電線部２に取り付けられるときに、凹部４Ｂが形成された最内板状部分３１１が、凹部４Ｂの幅が狭まるように屈曲することで湾曲した形状に変形しやすくなる。これにより、保護部材３Ｂが電線部２の外周面に沿う形状に曲げ易くなる。
【００７２】
なお、図７に示されるように、電線部２に取り付けられた状態で保護部材３Ｂに、折り目４９が形成されている場合も考えられる。折り目４９は、最外板状部分３１２における介在部分３２に連なる部分に形成されている。また、折り目４９を、予め、最外板状部分３１２における介在部分３２に連なる部分に設けることも考えられる。この場合、折り目４９は、最内板状部分３１１側に凹んだ線状の溝であることが考えられる。
【００７３】
本実施形態においても、保護部材３Ｂにおける最内板状部分３１１が全体的に電線部２の外周面に沿う形状に湾曲しているため、保護部材３Ｂと電線部２とを固定する結束部材が巻かれた場合に、これらの固定状態をより安定なものにすることができる。
【００７４】
また、本実施形態においては、保護部材３Ｂを湾曲させる湾曲形成部が、最内板状部分３１１に形成され電線部２の延在方向に延びる凹部４Ｂを含む。この場合、保護部材３Ｂが湾曲した状態において、最内板状部分３１１と最内板状部分３１１の外側に存在する板状部分（本例では最外板状部分３１２）とが、電線部２を保護する層を構成する。このため、電線部２を比較的多くの層（板状部分３１）で保護することができ、保護性能を向上させることができる。
【００７５】
＜第４実施形態＞
次に、図９，１０を参照しつつ、第４実施形態に係る電線モジュール４００について説明する。電線モジュール４００は、保護部材３，３Ａ，３Ｂと異なる構造の保護部材３Ｃを備える。図９は、電線モジュール４００の一部切り欠き斜視図である。図１０は、展開状態の保護部材３Ｃの斜視図である。なお、図９，１０において、図１〜８に示される構成要素と同じ構成要素には、同じ参照符号が付されている。以下、第１実施形態、第２実施形態及び第３実施形態と異なる点について説明する。
【００７６】
本実施形態では、電線モジュール４００は、電線部２と保護部材３Ｃとを備える。電線部２は、第１実施形態と同じ構造であるためその説明を省略する。
【００７７】
保護部材３Ｃは、第１実施形態と同様、複数（本例では２つ）の板状部分３１と板状部分３１間に介在する介在部分３２とを含む中空板材３０によって形成されている。中空板材３０については、第１実施形態と同様であるため、その説明を省略する。
【００７８】
第４実施形態は、第１実施形態と同様、中空板材３０における介在部分３２が延びる方向と電線部２の延在方向とが一致するように、保護部材３Ｃが電線部２に取り付けられる場合の事例である。また、第４実施形態は、第１実施形態と同様、保護部材３Ｃを湾曲させるための湾曲形成部が、第一スリット４である場合の事例である。第一スリット４については、第１実施形態と同様であるため、その説明を省略する。
【００７９】
本実施形態では、保護部材３Ｃは、複数（本例では２つ）の板状部分３１における内側の最内板状部分３１１に対し最も外側に配置された最外板状部分３１２に形成され、電線部２の延在方向に直交する方向に延びて形成された第二スリット４Ｃをさらに含む。
【００８０】
即ち、保護部材３Ｃは、電線部２の延在方向（介在部分３２の延在方向）に延びる第一スリット４と、電線部２の延在方向に直交する方向（介在部分３２の並ぶ方向）に延びる第二スリット４Ｃと、を含む。なお、電線モジュール４００において、電線部２の延在方向に直交する方向は、電線部２の周方向と一致する。
【００８１】
本実施形態では、図９，１０に示されるように、第二スリット４Ｃは、複数の介在部分３２が並ぶ方向に延びて形成され、複数の介在部分３２にまたがって形成されている。また、本実施形態では、保護部材３Ｃは、複数の第二スリット４Ｃを含む。複数の第二スリット４Ｃは、電線部２の延在方向に沿って間隔を空けて並んで形成されている。
【００８２】
第二スリット４Ｃは、最外板状部分３１２から最内板状部分３１１側に向けて形成され、介在部分３２における最内板状部分３１１に連なる根元の部分まで到達するスリットであることが好ましい。なお、第二スリット４Ｃが、最外板状部分３１２から介在部分３２の中間部分まで到達するスリットである場合も考えられる。
【００８３】
本実施形態では、保護部材３Ｃは、複数の第二スリット４Ｃにより、電線部２の延在方向においても、最外板状部分３１２が複数の区画（区画部３９Ｃ）に分けられる。そして、第二スリット４Ｃによって分けられた区画部３９Ｃは、隣り合うもの同士が相互に分離するように変形可能である。これにより、本実施形態では、第二スリット４Ｃが開く方向、即ち、最外板状部分３１２側から最内板状部分３１１側に向かう方向に保護部材３Ｃを曲げることができる。なお、第二スリット４Ｃが形成されていない部分では、保護部材３Ｃを直線状の形状に維持することができる。
【００８４】
本実施形態においても、保護部材３Ｃにおける最内板状部分３１１が全体的に電線部２の外周面に沿う形状に湾曲しているため、保護部材３Ｃと電線部２とを固定する結束部材が巻かれた場合に、これらの固定状態をより安定なものにすることができる。
【００８５】
また、本実施形態においては、保護部材３Ｃが、電線部２の延在方向に直交する方向に延びて形成された第二スリット４Ｃを含む。この場合、第二スリット４Ｃが形成された部分では、複数の板状部分３１が重なる方向に、保護部材３Ｃが曲がり易い。このため、電線モジュール４００は、直線状の部分と曲がった部分とを含む経路に電線部２が配設される場合に比較的有効である。
【００８６】
＜応用例＞
第一スリット４と凹部４Ｂとの複合的構成である場合も考えられる。即ち、湾曲形成部が、第一スリット４と凹部４Ｂとを両方含む場合も考えられる。
【００８７】
また、凹部４Ｂを含む保護部材３Ｂに第二スリット４Ｃが形成される場合も考えられる。
【００８８】
また、保護部材３Ａにおいて、介在部分３２間に電線部２の延在方向に直交する第二スリット４Ｃが形成されている場合も考えられる。
【００８９】
また、保護部材３Ａにおいて、第一スリット４Ａの代わりに凹部４Ｂが形成されている場合も考えられる。
【００９０】
また、複数の板状部分３１及び介在部分３２の少なくとも１つを紙によって形成する場合も考えられる。なお、この場合、その表面に撥水処理等を施すことが好ましい。
【００９１】
また、中空板材３０において、複数の板状部分３１間に介在して中空構造を形成する介在部分３２が、他の中空形状を形成するものであってもよい。例えば、複数の板状部分３１間において、それらの間の介在部分３２は、三角柱等の多角柱状の中空形状を形成するものであってもよく、特に、ハニカム構造を形成するものであってもよい。
【００９２】
なお、本発明に係る電線モジュールは、各請求項に記載された発明の範囲において、以上に示された各実施形態及び応用例を自由に組み合わせること、或いは、各実施形態及び応用例を適宜、変形する又は一部を省略することによって構成されることも可能である。
【符号の説明】
【００９３】
１００  電線モジュール
２  電線部
３  保護部材
３０  中空板材
３１  板状部分
３１１  最内板状部分
３１２  最外板状部分
３２  介在部分
３３  中空空間
４  第一スリット
４Ｂ  凹部
４Ｃ  第二スリット
【図１】
0006354602.tif 000002
【図２】
0006354602.tif 000003
【図３】
0006354602.tif 000004
【図４】
0006354602.tif 000005
【図５】
0006354602.tif 000006
【図６】
0006354602.tif 000007
【図７】
0006354602.tif 000008
【図８】
0006354602.tif 000009
【図９】
0006354602.tif 000010
【図１０】
0006354602.tif 000011